(57)【要約】【課題】コイン状部材送出装置を遊技機内に設置し、遊技機へ挿入されたコイン状部材を選別計数装置を経てガイド樋から貯蔵容器内へ収容するように構成した場合、通常、貯蔵容器内が満杯になった際には、その後に貯蔵容器内へ進入するコイン状部材は、オーバーフローさせて回収ボックス等へ収納するようにしている。本発明は、このようなオーバーフローを行わせる構成を貯蔵容器内に設け、オーバーフローが円滑に行われるようにするものである。【解決手段】貯蔵容器への入口開口からオーバーフロー出口に向けてオーバーフローガイド部材を傾斜設置し、オーバーフローガイド部材は入口開口からオーバーフロー出口に向けて低く傾斜した誘導面と、この誘導面の前記入口開口に対応して前記貯蔵容器（ホッパ）内へ開いた略Ｖ字状の切込み部を形成したこと。【選択図】図３
2007206952.tif 000002
【特許請求の範囲】
【請求項１】
ベース部材上にコイン状部材の貯蔵容器（ホッパ）を設け、複数の分離孔を形成して前記ベース部材上に配置した送出ロータの回転によって、前記貯蔵容器（ホッパ）に収容したコイン状部材を１枚ずつ送出口から送出するコイン状部材送出装置において、前記貯蔵容器（ホッパ）の入口開口からオーバーフロー出口に向けて低くオーバーフローガイド部材が傾斜設置され、このオーバーフローガイド部材は、前記入口開口から前記オーバーフロー出口に向けて低く傾斜した誘導面と、この誘導面の前記入口開口に対応して前記貯蔵容器（ホッパ）内へ開いた略Ｖ字状の切込み部を形成したことを特徴とするコイン状部材送出装置。
【請求項２】
前記誘導面の前記貯蔵容器（ホッパ）内側の端部に立ち上がり壁を形成し、前記切込み部の底部から前記立ち上がり壁の基部までの長さが、コイン状部材の直径の３倍以上で４倍未満であることを特徴とする請求項１に記載のコイン状部材送出装置。
【請求項３】
前記誘導面は、前記入口開口から前記オーバーフロー出口に向けて低く傾斜した略直線状の傾斜した傾斜基板面と、この傾斜基板面の前記貯蔵容器（ホッパ）内側に前記オーバーフロー出口に向けて順次幅を広げつつ斜め上方へ高く傾斜した傾斜誘導面を形成し、前記立ち上がり壁が前記傾斜誘導面の端部から立ち上がり形成されたことを特徴とする請求項２に記載のコイン状部材送出装置。
【発明の詳細な説明】
【技術分野】
【０００１】
本発明は、ベース部材上に設けた貯蔵容器（ホッパ）内のコイン状部材をベース部材上に配置した送出ロータの回転によって１枚ずつ送出する送出装置に関する。
【背景技術】
【０００２】
貯蔵容器に貯留した硬貨、遊技用メダル等のコイン状部材を貯蔵容器の底部に設けたロータの回転によって１枚ずつ送出する送出装置がある。その代表的な構成として、硬貨、遊技用メダル等のコイン状部材を貯蔵する貯蔵容器（ホッパ）の底部には、電動機装置によって一方向へ回転する円盤状の送出ロータが設けられ、この送出ロータには複数の分離孔が略等間隔に同心円上に配置され、この送出ロータの回転に伴って、複数の分離孔にそれぞれコイン状部材が順次入りつつ、分離孔に入ったコイン状部材は、分離孔の底部から送出ロータの円周方向へ１枚ずつ押し出されて、貯蔵容器の側面部に形成した送出部からコイン状部材が１枚ずつ送出される。そして、この送出部には送出されるコイン状部材の通過枚数を計数する計数手段が設けられたものである。（例えば、特許文献１参照）。
【０００３】
この特許文献１のようなコイン状部材送出装置を遊技機内に設置し、遊技機のコイン状部材挿入口へ挿入されたコイン状部材を、選別計数装置を経てガイド樋から貯蔵容器（ホッパ）内へ収容するように構成した場合、通常は、貯蔵容器（ホッパ）内が満杯になった際には、その後に貯蔵容器（ホッパ）内へ進入するコイン状部材は、オーバーフローさせて回収ボックス等へ収納するようにしている。
【特許文献１】特開２００４−３１８５９５号公報
【発明の開示】
【発明が解決しようとする課題】
【０００４】
本発明は、このようなオーバーフローを行わせる構成を貯蔵容器（ホッパ）内に設け、コイン状部材相互のブリッジができ難い状態にして、オーバーフローが円滑に行われるようにするものである。
【課題を解決するための手段】
【０００５】
第１発明のコイン状部材送出装置は、ベース部材上にコイン状部材の貯蔵容器（ホッパ）を設け、複数の分離孔を形成して前記ベース部材上に配置した送出ロータの回転によって、前記貯蔵容器（ホッパ）に収容したコイン状部材を１枚ずつ送出口から送出するコイン状部材送出装置において、前記貯蔵容器（ホッパ）の入口開口からオーバーフロー出口に向けて低くオーバーフローガイド部材が傾斜設置され、このオーバーフローガイド部材は、前記入口開口から前記オーバーフロー出口に向けて低く傾斜した誘導面と、この誘導面の前記入口開口に対応して前記貯蔵容器（ホッパ）内へ開いた略Ｖ字状の切込み部を形成したことを特徴とする。
【０００６】
第２発明のコイン状部材送出装置は、第１発明において、前記誘導面の前記貯蔵容器（ホッパ）内側の端部に立ち上がり壁を形成し、前記切込み部の底部から前記立ち上がり壁の基部までの長さが、コイン状部材の直径の３倍以上で４倍未満であることを特徴とする。
【０００７】
第３発明は、第２発明において、前記誘導面は、前記入口開口から前記オーバーフロー出口に向けて低く傾斜した略直線状の傾斜した傾斜基板面と、この傾斜基板面の前記貯蔵容器（ホッパ）内側に前記オーバーフロー出口に向けて順次幅を広げつつ斜め上方へ高く傾斜した傾斜誘導面を形成し、前記立ち上がり壁が前記傾斜誘導面の端部から立ち上がり形成されたことを特徴とする。
【発明の効果】
【０００８】
第１発明では、オーバーフローガイド部材は、切込み部を備えているため、貯蔵容器（ホッパ）内が堆積したコイン状部材で満杯状態になると、堆積したコイン状部材のうち、切込み部付近のコイン状部材は、切込み部に近接したコイン状部材と切込み部の底部との間に隙間が生じる状態で堆積される。このため、切込み部に向けて進入するコイン状部材は、その付近に堆積されたコイン状部材に当たり衝撃を加える。このため、この隙間によってコイン状部材相互のブリッジができない状態となり、オーバーフローのコイン状部材は、誘導面を滑ってオーバーフロー出口へ円滑に移動できる効果を奏するものとなる。
【０００９】
第２発明では、第１発明の効果に加えて、切込み部の底部から立ち上がり壁の基部までの長さが、２倍以上であれば、２個のコイン状部材が挟まってブリッジ状態となる虞があるが、この長さが３倍以上４倍未満であるため、この長さの中に入るコイン状部材の数は最大３個となる。３個のコイン状部材が挟まって安定することは極めて少なく、３個のコイン状部材によってブリッジバランスが崩れ易い状態となり、コイン状部材のブリッジ状態の解消効果が大きくなる。
【００１０】
第３発明は、第２発明の効果に加えて、斜め上方へ高く傾斜した傾斜誘導面の分だけ、多くのコイン状部材を収容できる状態となる。そして、上記のようにブリッジが解消された状態で堆積したコイン状部材上に、切込み部に向けて進入してくるコイン状部材は、堆積された切込み部付近のコイン状部材に当たってその上を滑り、傾斜誘導面の高い側の端部を乗り越えて傾斜基板面へ誘導され、傾斜基板面からオーバーフロー出口へ向けて、円滑に移動できる効果を奏するものとなる。
【発明を実施するための最良の形態】
【００１１】
本発明のコイン状部材送出装置は、ベース部材上にコイン状部材の貯蔵容器（ホッパ）を設け、複数の分離孔を形成して前記ベース部材上に配置した送出ロータの回転によって、前記貯蔵容器（ホッパ）に収容したコイン状部材を１枚ずつ送出口から送出するコイン状部材送出装置において、前記貯蔵容器（ホッパ）の入口開口からオーバーフロー出口に向けて低くオーバーフローガイド部材が傾斜設置され、このオーバーフローガイド部材は、前記入口開口から前記オーバーフロー出口に向けて低く傾斜した誘導面と、この誘導面の前記入口開口に対応して前記貯蔵容器（ホッパ）内へ開いた略Ｖ字状の切込み部を形成した構成であり、本発明の実施例を以下に記載する。
【実施例１】
【００１２】
次に、本発明の実施の形態について説明する。図１は本発明に係るコイン状部材送出装置の分解斜視図、図２は本発明に係るコイン状部材送出装置を備えた遊技機の開扉正面図、図３は本発明に係るコイン状部材送出装置の斜視図、図４は本発明に係るコイン状部材送出装置の一部断面の側面図、図５は本発明に係るコイン状部材送出装置のロータガイドリングの係止前の状態を示す上面図、図６は本発明に係るコイン状部材送出装置のロータガイドリングの係止状態を示す上面図、図７は本発明に係るコイン状部材送出装置の送出ロータとロータガイドリングの関係を示す断面図、図８は本発明に係るコイン状部材送出装置の送出部のカバーを外した斜視図、図９は本発明に係るコイン状部材送出装置の送出部のカバーを外した上面図、図１０は本発明に係る送出ロータの分離孔部分の裏側斜視図、図１１は本発明に係る送出ロータの分離孔部分の側面図、図１２は本発明に係る検出部を示す斜視図、図１３は本発明に係る検出部の検出位置の説明図、図１４は本発明に係るオーバーフローガイド部材部分の上面図、図１５は本発明に係るオーバーフローガイド部材部分の長さ方向の縦断面図、図１６は本発明に係るオーバーフローガイド部材部分の幅方向の縦断面図である。
【００１３】
本発明の実施形態を図に基づき説明する。１は硬貨、遊技用メダル等のコイン状部材１００を使用して遊技するための遊技機であり、図２に示すものは、コイン状部材（遊技用メダル）１００を使用するスロットマシンやパチスロ機である遊技機１の扉を開いた状態の正面図である。遊技機１内には、遊技機１で使用するコイン状部材（遊技用メダル）１００を収納し、必要に応じて所定数のコイン状部材（遊技用メダル）１００を送出する機能のコイン状部材送出装置２が設置されている。
【００１４】
コイン状部材送出装置２は以下の構成をなす。即ち、金属製の架台３の上には、合成樹脂製のベース部材４が複数箇所をネジ６によって取り付けられ、ベース部材４上には、円形状のコイン状部材１００を収納する収容部５を形成する合成樹脂製の貯蔵容器（ホッパ）５Ｐが、ベース部材４に対してネジ又は係止装置４４によって着脱自在に取り付けられている。貯蔵容器（ホッパ）５Ｐは、上面と下面にそれぞれ開口５Ａ、５Ｂを有し、下面開口５Ｂは略円形をなす。この下面開口５Ｂに対応してベース部材４上には、複数の分離孔１０を形成した合成樹脂製の送出ロータ７が配置され、送出ロータ７は、ベース部材４の下側に取り付けた電動機装置８からベース部材４を貫通した回転軸９の先端部に取り付けられている。
【００１５】
回転軸９の先端部に取り付けられた送出ロータ７は、図７に示すように、ベース部材４の上面に形成した円形状の窪み４Ａに配置され、窪み４Ａの表面から若干離れた状態で電動機装置８によってＲ方向へ回転する構成である。送出ロータ７の上面周縁部と周囲面と若干の間隔を存して送出ロータ７の上面周縁部と周囲面を覆うようにロータガイドリング２０が設けられている。ロータガイドリング２０は、窪み４Ａを取り囲むように窪み４Ａよりも高い位置に形成した円形状の段部４Ｂに載置され、ベース部材４に形成した係止爪部２１によってベース部材４の所定位置に保持される。ロータガイドリング２０は、送出ロータ７の上面周縁部を覆うリング部２０Ａから外方へ広がるように傾斜したリング部２０Ｂを形成しており、貯蔵容器（ホッパ）５Ｐの円形状の下面開口５Ｂが、リング部２０Ａ、２０Ｂに沿うように、貯蔵容器（ホッパ）５Ｐがベース部材４に取り付けられる。
【００１６】
送出ロータ７が回転軸９の先端部に取り付けられて窪み４Ａに配置された状態で、図５に示すように、ロータガイドリング２０の周縁部に形成した切り欠き２０Ｃを係止爪部２１に対応させるように、ロータガイドリング２０を段部４Ｂに載置し、この状態で、ロータガイドリング２０を時計方向へ回動させることによって、図６に示すように、ロータガイドリング２０が係止爪部２１の下側に潜り込んで係止されると共に、ロータガイドリング２０の端部２０Ｄがベース部材４に形成したストッパ段部２２に当接して、ロータガイドリング２０が所定位置に保持される。
【００１７】
送出ロータ７は、同心円上に複数の分離孔１０（図示のものは６個の分離孔を有する）を略等間隔に配置した円盤状をなし、各分離孔１０は、コイン状部材１００の直径よりも若干大きい直径でもって送出ロータ７を上下に円形状に貫通し、上側周縁部には回転方向Ｒの下流側に向かって下向きの傾斜状に広がった案内面１１を形成している。また、各分離孔１０の下側周縁部には、送出ロータの周縁に臨む開放出口１０Ａを形成し、この開放出口１０Ａの回転方向Ｒの下流側には、送出ロータ７の周縁へ延びる流線型の押し出し壁１２を形成している。この構成によって、送出ロータ７の回転によって、貯蔵容器（ホッパ）５Ｐのコイン状部材１００は、１枚ずつ分離して分離孔１０に順次入り込み、分離孔１０の底部に入り込んだコイン状部材１００は、送出ロータ７の回転に伴ってベース部材４の上面を滑りつつ押し出し壁１２によって、ベース部材４の上面に形成した送出部１３へ向けて、開放出口１０Ａから送出ロータ７の外方へ押し出される仕組みである。このようにして、コイン状部材１００は、送出ロータ７の回転に伴って各分離孔１０から１枚ずつ送出される。
【００１８】
送出ロータ７の回転に伴って送出ロータ７の外方へ押し出されたコイン状部材１００は、コイン状部材通路を構成する送出部１３へ入る。送出部１３の入口部には、送出ロータ７から外方へ押し出されたコイン状部材１００が最初に通過する位置に、コイン状部材１００の直径よりも若干小さい間隔を存して、固定側壁１５と可動体１６が配置されている。送出ロータ７の回転に伴って分離孔１０の底部に入り込んだコイン状部材１００は、開放出口１０Ａから送出ロータ７の外方へ移動して、固定側壁１５の内側の傾斜面１５Ｂに当接し、押し出し壁１２によって押されて回転しつつ押し出される。送出ロータ７の外方へ押し出されたコイン状部材１００は、送出部１３へ入り、送出部１３をＹ１方向に通って、送出装置２の側面に形成した送出口１４から送出される。送出口１４から送出されるコイン状部材１００は、遊技機１の前面に設けた受け皿１Ａへ供給され、遊技客による次の遊技に使用可能となる。送出部１３の通路幅Ｔ１は、固定側壁１５の先端の直線部１５Ａとその対面側に固定側壁１５と並行に配置した固定側壁２６との間隔で形成される。この通路幅Ｔ１は、コイン状部材１００が円滑に移動できるように、コイン状部材１００の直径よりも若干大きい寸法に定めている。
【００１９】
固定側壁１５は、送出部１３の入口側の送出ロータ７の回転方向（Ｒ）手前側に送出ロータ７から送出されるコイン状部材１００が当接する位置に設けられており、耐磨耗性を考慮して金属製とし、実施例ではステンレススチールで構成している。可動体１６は、固定側壁１５に対して送出ロータ７の回転方向（Ｒ）前方側に位置し、コイン状部材１００によって押し圧作動されるようにバネ１７で付勢された状態に設けられている。可動体１６は、Ｌ字状の可動アーム１９に立設した軸１９Ａに回転可能に取り付けた円筒体１６Ａで構成され、可動アーム１９は、ベース部材４の下側に中央部を回転可能に軸支持１８されると共に、他端部が復帰作用バネ１７の引っ張り力によって引っ張られており、この状態で、可動体１６は固定側壁１５との間にコイン状部材１００の直径よりも若干小さい間隔を維持している。
【００２０】
このため、送出ロータ７の外方へ押し出されるコイン状部材１００は、この固定側壁１５と可動体１６に到達した際、図９に示すように、可動体１６をバネ１７の引っ張り力に抗して１６Ａの状態に押し退けつつ進み、コイン状部材１００の直径部が通過したとき、バネ１７の引っ張り力によって復帰する可動体１６によって、送出口１４方向へ弾き飛ばされる。この弾き飛ばされたコイン状部材１００は、固定側壁２６側から送出部１３に臨むように配置した検出部２３をＹ１方向に通過して、送出口１４から送出される。検出部２３は、検出センサとして発光部と受光部からなる光センサ構成である。実施例では、発光部２４Ａと受光部２５Ａ、及び発光部２４Ｂと受光部２５Ｂの二組の光センサで構成されており、コイン状部材１００が検出部２３を通過するとき、発光部２４Ａから受光部２５Ａへ到達する光通路、及び発光部２４Ｂから受光部２５Ｂへ到達する光通路が遮られることによって、コイン状部材１００の通過枚数を電装ボックス３８内に設けた制御部の計数部（図示せず）によって計数する仕組みである。
【００２１】
検出部２３における検出位置は、コイン状部材１００の直径を外れた部位での検出としている。即ち、送出ロータ７から送出されるコイン状部材１００が連なって送出される場合にも、１枚ずつの検出ができるようにするために、発光部２４Ａ、２４Ｂから受光部２５Ａ、２５Ｂへ至るそれぞれの光通路は、送出されるコイン状部材１００の直径部位ではなく、直径部位から外れた位置、即ち、コイン状部材１００の直径よりも短い部位での検出としている。即ち、図１３に示すように、円形状のコイン状部材１００の中心ＣＨを通る直径部位から固定側壁２６側に寄った位置ＡＨとＢＨで検出するように、それぞれ発光部２４Ａから受光部２５Ａへ至る光通路と、発光部２４Ｂから受光部２５Ｂへ至る光通路を定めている。また、検出部２３は、一つの発光部２４Ａと一つの受光部２５Ａのみでもよいが、発光部２４Ａと受光部２５Ａ、及び発光部２４Ｂと受光部２５Ｂの二組で構成されるのは、上記のように検出精度を上げると共に、悪戯対策である。即ち、コイン状部材１００がＹ１方向に通った場合の検出パルスを計数信号として制御部で採用し、悪戯によってＹ１方向と反対方向にコイン状部材１００が押し込まれて通過した場合の検出パルスを不採用とすることによって、悪戯によって誤った計数がされないようにしている。検出部２３をこのような受光量の変化によって検知する方式に替えて、コイン状部材１００が通過することによって生じる電気量（静電容量、誘起起電力、周波数など）の変化や又は磁気量の変化などを計測するものでもよい。
【００２２】
送出部１３と検出部２３の部分は、合成樹脂製のカバー３２によって覆われている。カバー３２は、ベース部材４の上面に形成した係止部３３に下側に潜り込んで係止され、他端側はネジ３４によってベース部材４にネジ止めされる。このカバー３２の下面３２Ａと送出部１３の上面１３Ａとの間隔Ｔ２が、コイン状部材１００の厚さＴ０よりも若干大きい寸法になっている。これによって、固定側壁１５と固定側壁２６の間隔Ｔ１（コイン状部材１００の直径方向の間隔）と、このカバー３２の下面３２Ａと送出部１３の上面１３Ａとの間隔Ｔ２（コイン状部材１００の厚さ方向の間隔）との間が、送出部１３のコイン状部材通路の大きさである。そして、この送出部１３のコイン状部材通路の出口が、コイン状部材１００の送出口１４となる。
【００２３】
検出部２３は、発光部２４Ａと受光部２５Ａの組み合わせ位置、及び発光部２４Ｂと受光部２５Ｂの組み合わせ位置を正確にするために、図１２に示すように、発光部２４Ａ、２４Ｂと受光部２５Ａ、２５Ｂとを合成樹脂製ホルダ２３Ａ内に収めた構成である。合成樹脂製ホルダ２３Ａは略コ字形をなし、その一方の辺である上辺２３Ａ１に発光部２４Ａ、２４Ｂが送出部１３に上方から臨むように、上手側（上流側）と下手側（下流側）の配置で内蔵され、上辺２３Ａ１に対抗する合成樹脂製ホルダ２３Ａの他方の辺である下辺２３Ａ２には、受光部２５Ａ、２５Ｂが送出部１３に下方から臨むように、上手側（上流側）と下手側（下流側）の配置で内蔵されている。そして、合成樹脂製ホルダ２３Ａの発光部２４Ａ、２４Ｂから受光部２５Ａ、２５Ｂに至るそれぞれの光通路部分は、透明資材で構成された透明部２３Ｂを形成している。ホルダ２３Ａは、金属製の架台３にネジ止めされるネジ４６によって、ベース部材４上に取り付けている。
【００２４】
送出口１４から送出されるコイン状部材１００は、誘導樋（図示せず）を通って遊技機１の前面に設けた受け皿部分１Ａへ導入される。このため、コイン状部材送出装置２は、図２に示すように、コイン状部材１００の送出口１４が前面に向くように設置される。この構成において、遊技機１のコイン状部材挿入口（図示せず）へ挿入されたコイン状部材１００は、選別計数装置４０を経てガイド樋４１から立った状態で転動しつつ、貯蔵容器（ホッパ）５Ｐの入口開口５Ｅから貯蔵容器（ホッパ）５Ｐ内へ収容される。
【００２５】
貯蔵容器（ホッパ）５Ｐは、前面側の壁に入口開口５Ｅが形成され、側面側の壁にオーバーフロー出口５Ｘが形成されており、入口開口５Ｅからオーバーフロー出口５Ｘに向けて低くなるように、樋状のオーバーフローガイド部材４２が傾斜設置されている。オーバーフローガイド部材４２は合成樹脂製であり、図３及び図１４〜図１６に示すように、入口開口５Ｅからオーバーフロー出口５Ｘに向けて低く傾斜した誘導面４２Ｐを形成し、誘導面４２Ｐには、入口開口５Ｅに対応して、貯蔵容器（ホッパ）内の収容部５へ開いた略Ｖ字状の切込み部４３を形成している。具体例として、図示のように、誘導面４２Ｐの入口開口５Ｅ側にコイン状部材１００の収容部５側へ突出した突出部４２Ｄを形成し、突出部４２Ｄと誘導面４２Ｐとの間に略Ｖ字状の切込み部４３を形成した形態である。
【００２６】
遊技機１のコイン状部材挿入口（図示せず）へ挿入されたコイン状部材１００は、選別計数装置４０を経てガイド樋４１から立った状態で円周でもって転動しつつ、貯蔵容器（ホッパ）５Ｐの入口開口５Ｅから貯蔵容器（ホッパ）５Ｐ内へ進入するように構成されている。このガイド樋４１から立った状態で進入するコイン状部材１００は、切込み部４３に向けて進入するように、ガイド樋４１からの進入経路が設定されている。
【００２７】
このように進入したコイン状部材１００は、切込み部４３を通過して貯蔵容器（ホッパ）５Ｐ内へ収納される。誘導面４２Ｐの左右両側には、左右に立ち上がり壁４２Ｂ、４２Ｃを形成している。収容部５側の立ち上がり壁４２Ｃは、傾斜誘導面４２Ｅのオーバーフロー出口５Ｘ寄りの部分に形成し、他方の立ち上がり壁４２Ｂは収容部５の側壁の内側に沿って形成している。貯蔵容器（ホッパ）５Ｐ内へ収納されるコイン状部材１００が堆積して満杯状態になってくると、堆積されたコイン状部材１００の山の稜線部分ＹＹは、図１５に一点鎖線で示すように、徐々に高くなる。この場合、収容部５側の立ち上がり壁４２Ｃが存在しない場合は、この堆積されたコイン状部材１００の山が低い状態で、コイン状部材１００がオーバーフロー出口５Ｘへ移動するが、立ち上がり壁４２Ｃを設けることによって、この山の高さを高くでき、多くのコイン状部材１００を堆積することができるようになる。
【００２８】
上記のように、オーバーフローガイド部材４２は、切込み部４３を形成しているため、貯蔵容器（ホッパ）５Ｐ内が堆積したコイン状部材１００で満杯状態になると、図１４に示すように、堆積したコイン状部材１００のうち、切込み部４３付近のコイン状部材１００のうち、突出部４２Ｄの先端部に当たるコイン状部材１００Ｃ２もあるが、切込み部４３に近接したコイン状部材１００Ｃ１と切込み部４３の底部との間に、隙間４３Ｇが生じる状態で堆積される。このため、ガイド樋４１から立った状態で切込み部４３に向けて進入するコイン状部材１００は、堆積されたコイン状部材１００Ｃ１等に当たって衝撃を加え、それによって、この隙間４３によってコイン状部材相互のブリッジができない状態となる。そして、オーバーフローするコイン状部材１００は、誘導面４２Ｐを滑ってオーバーフロー出口５Ｘへ円滑に移動でき、回収ボックス３６へ収納される。
【００２９】
また、切込み部４３の底部Ｑ１から収容部５側の立ち上がり壁４２Ｃの基部Ｑ２までの長さＬ４は、コイン状部材１００の直径Ｃ１（例えば、２５ｍｍ）の３倍以上で４倍未満に設定している。長さＬ４が２倍以上であれば、２個のコイン状部材１００が挟まってブリッジ状態となる虞があるが、長さＬ４が３倍以上４倍未満であるため、長さＬ４に入るコイン状部材１００の数は最大３個となる。このため、３個のコイン状部材１００が挟まって安定することは極めて少なく、３個のコイン状部材１００によってブリッジバランスが崩れ易い状態となり、コイン状部材１００のブリッジ状態の解消効果が大きくなる。
【００３０】
また、誘導面４２Ｐは、入口開口５Ｅからオーバーフロー出口５Ｘに向けて低く傾斜した略直線状の傾斜した略平坦な傾斜基板面４２Ａと、傾斜基板面４２Ａの収容部５側に突出部４２Ｄの基部からオーバーフロー出口５Ｘに向けて順次幅を広げつつ斜め上方へ高く傾斜した傾斜誘導面４２Ｅを備えている。傾斜基板面４２Ａの幅Ｌ３は、コイン状部材１００の直径Ｃ１よりも大きく、この直径Ｃ１の２倍よりも小さく設定されている。これによって、突出部４２Ｄと傾斜基板面４２Ａとの間に、略Ｖ字状の切込み部４３が形成された状態となり、切込み部４３の底部Q１から傾斜誘導面４２Ｅが始まる状態となる。そして、収容部５側の立ち上がり壁４２Ｃは、傾斜誘導面４２Ｅの収容部５側端部から立ち上がり形成される。
【００３１】
これによって、斜め上方へ高く傾斜した傾斜誘導面４２Ｅの分だけ、多くのコイン状部材１００を収容できる状態となる。そして、上記のようにブリッジが解消された状態で堆積したコイン状部材１００上に、ガイド樋４１から立った状態で切込み部４３に向けて進入してくるコイン状部材１００は、堆積された切込み部４３付近のコイン状部材１００に当たってその上を滑り、傾斜誘導面４２Ｅの高い側の端部を乗り越えて傾斜基板面４２Ａへ誘導され、傾斜基板面４２Ａからオーバーフロー出口５Ｘへ向けて、円滑に移動できる効果を奏するものとなる。
【００３２】
また、収容部５の側壁、即ち、突出部４２Ｄの前壁５Ｐ１からの突出長さＬ１は、コイン状部材１００の直径Ｃ１よりも若干大きく、略Ｖ字状の切込み部４３の切り込み底部Ｑ１と前壁５Ｐ１からの長さＬ２は、コイン状部材１００の直径Ｃ１よりも若干小さく、Ｌ２＜Ｃ１＜Ｌ１の関係である。これによって、ガイド樋４１から立った状態で進入するコイン状部材１００が、切込み部４３を通って収容部５へ至る進入が安定し、また、切込み部４３付近のコイン状部材１００が倒れたとき、その表面または裏面でもって傾斜基板面４２Ａを滑って、オーバーフロー出口５Ｘへ移動する動作が安定する。
【００３３】
傾斜誘導面４２Ｅの高い側の端部と突出部４２Ｄの端部がエッジ状態では、コイン状部材１００によって磨耗してギザギザになって、それがコイン状部材１００の傾斜基板面４２Ａへの円滑な移動を阻害するため、これを防止するために、傾斜誘導面４２Ｅの高い側の端部と突出部４２Ｄの端部には、収容部５側へ向けて傾斜した傾斜面ＫＫを形成している。
【００３４】
静電気除去のために、合成樹脂製ホルダ２３Ａを導電性合成樹脂ホルダとし、このホルダ２３Ａをアース線でアース側である金属製の架台３に接続するか、金属製の架台３にネジ込まれる導電性ネジ４６によって、ホルダ２３Ａをベース部材４上に取り付ける構成によって、ホルダ２３Ａが静電気を帯びても、発光部２４Ａ、２４Ｂ又は受光部２５Ａ、２５Ｂが、それによって悪影響を受けないようにしている。
【００３５】
また、コイン状部材１００が帯びた静電気を逃がすようにするために、固定側壁１５と固定側壁２６を導電性部材で構成し、これらを導電性のステンレススチールで構成している。固定側壁２６は、その基部をネジ６、３５によってベース部材４の上面に取り付けている。そして、このネジ６と３５の少なくとも一方が導電性ネジであり、これが金属製の架台３にネジ止めされる構成によって、固定側壁２６はアース側である金属製の架台３に電気的に接続される。また、コイン状部材１００が帯びた静電気を逃がす構成として、固定側壁１５が、金属製の架台３にネジ止めされる導電性ネジ３１によって、ベース部材４の上面に取り付けられ、固定側壁１５からも静電気を逃がすようにしている。更に、コイン状部材１００が帯びた静電気を逃がす構成として、送出ロータ７の分離孔１０に侵入したコイン状部材１００が接触する位置に静電気を逃がす導電部材３０を配置し、導電部材３０は、ベース部材４の係止部にかぎ状に係止する係止部３０Ａ、３０Ｂを一端部と中間部に形成し、他端部は固定側壁１５の下側に重なった状態で、固定側壁１５と共に導電性ネジ３１によって金属製の架台３と電気的接続状態にベース部材４上に固定されている。
【００３６】
金属製の架台３は、導電性ネジ３７によって遊技機１の金属壁に固定される。このため帯電していたコイン状部材１００の静電気は、導電部材３０、固定側壁１５、固定側壁２６と導電性ネジ３１、３５、６を通して金属製架台３に伝わり、架台３から遊技機１の金属壁へ逃げるため、検出部２３における正規の検出動作が達成される。なお、遊技機１の金属壁をアース線でもってアースすれば好ましい状態となる。
【００３７】
コイン状部材送出装置２の電動機装置８の給電ラインや制御ライン、検出部２３の制御ラインなどの電気ラインは、遊技機１に設けた電装ボックス３８とコイン状部材送出装置２とを結ぶリード線３９でもって形成されている。なお、コイン状部材送出装置２は、メンテナンスなどの際に引き出し易いように、金属製架台３の前壁に引き出し用取っ手７０を備えている。
【産業上の利用可能性】
【００３８】
本発明は、上記実施形態に限定されず、本発明の技術的範囲を逸脱しない限り種々の変更が考えられ、それに係る種種の実施形態を包含するものである。
【図面の簡単な説明】
【００３９】
【図１】本発明に係るコイン状部材送出装置の分解斜視図である。（実施例１）
【図２】本発明に係るコイン状部材送出装置を備えた遊技機の開扉正面図である。（実施例１）
【図３】本発明に係るコイン状部材送出装置の斜視図である。（実施例１）
【図４】本発明に係るコイン状部材送出装置の一部断面の側面図である。（実施例１）
【図５】本発明に係るコイン状部材送出装置のロータガイドリングの係止前の状態を示す上面図である。（実施例１）
【図６】本発明に係るコイン状部材送出装置のロータガイドリングの係止状態を示す上面図である。（実施例１）
【図７】本発明に係るコイン状部材送出装置の送出ロータとロータガイドリングの関係を示す断面図である。（実施例１）
【図８】本発明に係るコイン状部材送出装置の送出部のカバーを外した斜視図である。（実施例１）
【図９】本発明に係るコイン状部材送出装置の送出部のカバーを外した上面図である。（実施例１）
【図１０】本発明に係る送出ロータの分離孔部分の裏側斜視図である。（実施例１）
【図１１】本発明に係る送出ロータの分離孔部分の側面図である。（実施例１）
【図１２】本発明に係るコイン状部材の検出部の斜視図である。（実施例１）
【図１３】本発明に係る検出部の検出位置の説明図である。（実施例１）
【図１４】本発明に係るオーバーフローガイド部材部分の上面図である。（実施例１）
【図１５】本発明に係るオーバーフローガイド部材部分の長さ方向の縦断面図である。（実施例１）
【図１６】本発明に係るオーバーフローガイド部材部分の幅方向の縦断面図である。（実施例１）
【符号の説明】
【００４０】
１・・・・遊技機
２・・・・コイン状部材送出装置
３・・・・金属製の架台
４・・・・ベース部材
４Ａ・・・窪み
５・・・・コイン状部材の収容部
５Ｅ・・・入口開口
５Ｐ・・・貯蔵容器（ホッパ）
５Ｘ・・・オーバーフロー出口
７・・・・送出ロータ
８・・・・電動機装置
９・・・・回転軸
１０・・・分離孔
１３・・・送出部
１３Ｃ・・検出部のコイン状部材通路
１４・・・送出口
１５・・・固定側壁
１６・・・可動体
１７・・・バネ
２０・・・ロータガイドリング
２０Ｃ・・切り欠き
２１・・・係止爪部
２３・・・検出部
２３Ａ・・導電性の合成樹脂製ホルダ
２３Ａ１・・合成樹脂製ホルダの上辺
２３Ａ２・・合成樹脂製ホルダの下辺
２３Ｂ・・・透明部
２４Ａ、２４Ｂ・・・発光部
２５Ａ、２５Ｂ・・・受光部
２６・・・固定側壁
３０・・・導電部材
３１・・・導電性ネジ
３５・・・導電性ネジ
３６・・・回収ボックス
４１・・・ガイド樋
４２・・・オーバーフローガイド部材
４２Ａ・・傾斜基板面
４２Ｄ・・突出部
４２Ｅ・・傾斜誘導面
４２Ｐ・・誘導面
４３・・・切込み部
４３Ｇ・・隙間
１００・・コイン状部材
【図１】
2007206952.tif 000003
【図２】
2007206952.tif 000004
【図３】
2007206952.tif 000005
【図４】
2007206952.tif 000006
【図５】
2007206952.tif 000007
【図６】
2007206952.tif 000008
【図７】
2007206952.tif 000009
【図８】
2007206952.tif 000010
【図９】
2007206952.tif 000011
【図１０】
2007206952.tif 000012
【図１１】
2007206952.tif 000013
【図１２】
2007206952.tif 000014
【図１３】
2007206952.tif 000015
【図１４】
2007206952.tif 000016
【図１５】
2007206952.tif 000017
【図１６】
2007206952.tif 000018